(57)【特許請求の範囲】
【請求項１】
戸建等用建屋の床下に設置され、かつ、水洗トイレを除く、器具トラップ付の複数の雑排水器具から流入し、しかも、これらの複数の器具トラップの破封を低下させるための空気アキュムレ−タの機能を持つ１つの完全密閉した集合ますの下流側を、下り階段配管なしによって、負圧発生を防ぐために、傾斜管をもつ緩やかな段差接合構造に接続し、該段差接合構造に接続した水平管を、屋外に埋設した落差調整ますの、該水平管より大径の点検筒に直接接続して滝落し機能による空気アキュムレ−タ機能を発揮させることにより、前記建屋と該落差調整ますとの距離を短縮しながら、通気管を必要とせずに、前記複数の器具トラップの破封を防止したことを特徴とする１つの集合ますを用いた床下配管設備。
【請求項２】
前記落差調整ますをドロップますにした請求項１に記載の１つの集合ますを用いた床下配管設備。
【請求項３】
前記落差調整ますの点検筒に水洗トイレの排水枝管を直接接続した請求項１に記載の１つの集合ますを用いた床下配管設備。
【請求項４】
前記ドロップますを、１本の点検筒用塩ビ管にアンダ−フロ−部付漏斗体を付設して形成した請求項２に記載の１つの集合ますを用いた床下配管設備。
【発明の詳細な説明】
【０００１】
【発明の属する技術分野】
本発明は、１つの集合ます、または、１つのヘッダ−型継手を用いた床下配管設備に関するものである。
【０００２】
【従来の技術】
現在、１つの集合ます（一括集中排水のための集合ます、または会所ますともいう）、または、１つのヘッダ−型継手（多数の管端を取付けた１本の共通管機構をいう）を用いた排水用床下配管設備が盛んに提唱されている（例えば、特開２００１−２２０７９６号公報参照）。
【０００３】
かかる１つの集合ますまたはヘッダ−型継手を用いた排水用床下配管設備によると、従前より知られているように、１）給水配管で用いられているようにプレハブ配管といわれる排水管のユニット化ができ、現場での労務量を減らし、全体の工期を短縮し、工場生産品による品質の安定化等の効果があり、２）集合ますを用いた場合、これが一種の空気アキュムレ−タとして働き、上流側の器具トラップの破封を低下させる、３）床下配管を非埋設にすると、土工費を節減する、４）屋外の排水ますや排水枝管の数を減らす、等の効果が期待できる、とされている。
【０００４】
かかる１つのヘッダ−型継手を用いた床下配管設備について、前掲の特開２００１−２２０７９６号公報にもとづき更に述べる。
【０００５】
図５において、これは戸建住宅等の建屋２の床下の防湿コンクリ−ト３上に床に設けている。
【０００６】
この床下配管設備１Ｂの下流側は、建屋２の布基礎２４を貫通して、９０度大曲りＹ継手１０１、縦短管１０２、９０度エルボ１０３および横短管１０４を介して、屋外で埋設されている排水ます１０５に接続されている。
【０００７】
この排水ます１０５は、敷地内に埋設された屋外排水主管１０６に接続され、この屋外排水主管１０６は不図示の公共ますに接続されている。
【０００８】
ところで、かかる床下配管設備１Ｂは、床下ではヘッダ−型継手１０７と屋内排水主管５とから構成し、この１つのヘッダ−型継手１０７には、不図示の水洗トイレ、洗面所、洗濯機、浴室、台所等の各種の雑排水器具に接続されている各排水枝管端が接続されている。勿論、これらの器具には器具トラップが付設している。
【０００９】
そのため、これらの全ての器具トラップの破封を防ぐため、ヘッダ−型継手１０７には、屋外で開口された通気管１０９が取付けられ、この通気管１０９によりヘッダ−型継手１０７や屋内排水主管５内で発生する負圧を防ぎ、前記器具トラップの全部の破封を防いでいる。
【００１０】
すなわち、ヘッダ−型継手１０７には１つの通気管１０９を設けることから、各種の雑排水器具に対応した数の通気管を設けなくても、これらの器具トラップの封水を有効に維持できるので、材料費や施工費等を節減できる、とされている。
【００１１】
なお、前記一括集中に用いられる屋外の１つの排水ます（トイレ用を別にしても２つ）１０５の埋設深さは、不図示の公共ますの深さが条例等で略決められ、かつ、屋外排水主管１０６の勾配が決められていること、また、防湿コンクリ−ト３の高さが地面ＧＬより略１０ｃｍのレベル差を要することから、特に、狭小の敷地では、必然的に浅くできず、したがって、前記のように９０度大曲りＹ継手１０１、縦短管１０２、９０度エルボ１０３および横短管１０４を用いて段差接合構造１１０を形成し、その深さが得られるようにしている。
【００１２】
しかしながら、かかる床下配管設備１Ｂでは、通常用いられるル−プ通気管（１０９）を採用していることから、それだけ、ユニット配管を妨げる、という問題が考えられ、また、９０度大曲りＹ継手１０１が屋外で地面ＧＬ上に露出していることから、配管カバ−を必要とする、という問題がある。
【００１３】
もっとも、前記配管カバ−を省略しようとすると、９０度大曲りＹ継手１０１を床下に設置することが考えられるが、この９０度大曲りＹ継手１０１を床下にもってくると、屋外では２つの９０度エルボやこれらの９０度エルボを接続する縦短管を必要とし（特開２００１−２２０７９０号公報図５参照）、つまり、下り階段配管を必要とし、これらの２つの９０度エルボ、つまり、ショ−トエルボによって、満管流時そこに負圧発生の恐れがあって、好ましくない。
【００１４】
そこで、これらの問題のない床下配管設備１Ａについて、次のような提案がなされている。
【００１５】
図４において、この提案の床下配管設備１Ａの屋内排水主管５と、屋外で埋設されている排水ます１０５とを緩やかな段差接合構造１１０Ａによって接続し、この段差接合構造１１０Ａにより可及的に負圧の発生を防いでいる。
【００１６】
すなわち、屋内排水主管５に第１の４５度エルボ１７を、この第１の４５度エルボ１７に４５度傾斜管１８を、この４５度傾斜管１８に第２の４５度エルボ１９を、この第２の４５度エルボ１９に建屋２の布基礎２４を貫通した水平管２１を、この水平管２１に第３の４５度エルボ１１１を、この第３の４５度エルボ１１１に第４の４５度エルボ１１２を、この第４の４５度エルボ１１２に第２の水平管１１３を、この第２の水平管１１３を排水ます１０５に、それぞれ接続して緩やかな段差接合構造１１０Ａを形成して、屋内排水主管５を排水ます１０５に接続している。
【００１７】
なお、この排水ます１０５は、敷地内に埋設した、土被り約２００ｍｍの屋外排水主管１０６に接続している
【００１８】
【発明が解決しようとする課題】
しかしながら、かかる提案の床下配管設備１Ａの屋内排水主管５から屋外の排水ます１０５へ接続する構造では、建屋２から排水ます１０５迄の距離Ｓを大きく必要とし、狭小の敷地には好ましくない、という問題が考えられる。
【００１９】
そのため、前掲の特開２００１−２２０７９６号公報に示されているような９０度エルボ（ショ−トエルボ）を２つ用いるとすると、前記のように負圧発生の原因となるので採用できない。
【００２０】
また、かかる提案のものや、前掲公報記載のものは、いずれも部品点数を多くし、一括集中排水の特徴の一つである部品点数の節減にとって好ましくない。
【００２１】
そこで本発明は、かかる諸問題を解決しようとして、特に、一括集中排水設備の屋外の排水ますが、ある程度の深さ（土被り）に埋設する必要性、および、防湿コンクリ−ト高さの必要性に着目して、一括集中排水設備の器具トラップの破封を防止しながら、部品点数の節減を目的とするものである。
【００２２】
【課題を解決するための手段】
かかる目的を達成するため、本発明の要旨とするところは、１）戸建等用建屋の床下に設置され、かつ、水洗トイレを除く、器具トラップ付の複数の雑排水器具から流入し、しかも、これらの複数の器具トラップの破封を低下させるための空気アキュムレ−タの機能を持つ１つの完全密閉した集合ますの下流側を、下り階段配管なしによって、負圧発生を防ぐために、傾斜管をもつ緩やかな段差接合構造に接続し、該段差接合構造に接続した水平管を、屋外に埋設した落差調整ますの、該水平管より大径の点検筒に直接接続して滝落し機能による空気アキュムレ−タ機能を発揮させることにより、前記建屋と該落差調整ますとの距離を短縮しながら、通気管を必要とせずに、前記複数の器具トラップの破封を防止したことを特徴とする１つの集合ますを用いた床下配管設備にあり、また、２）前記落差調整ますをドロップますにした請求項１に記載の１つの集合ますを用いた床下配管設備にあり、また、３）前記落差調整ますの点検筒に水洗トイレの排水枝管を直接接続した請求項１に記載の１つの集合ますを用いた床下配管設備にあり、また、４）前記ドロップますを、１本の点検筒用塩ビ管にアンダ−フロ−部付漏斗体を付設して形成した請求項２に記載の１つの集合ますを用いた床下配管設備にある。
【００２３】
【発明の実施の形態】
本発明を添付図面に示す実施例にもとづき詳細に述べる。
【００２４】
図１は本発明の第１の実施例の模式図、図２は参考例の模式図、図３はこれらの実施例が適用される床下配管設備の要部図であって、従来例および提案例を示す図５、図４、図６と同一部分または共通部分は同一符号を付し、その説明を省略ないし簡略化するので、そのまま記載があるものとする。
【００２５】
本発明の実施例の屋内排水用のユニット化した床下配管設備１、すなわち、集合一括排水設備は、木造戸建住宅に好適であるが、小規模集合住宅にも適用できるものである。
【００２６】
なお、本明細書における木造には、在来軸組み木造工法、ツ−バイフォ−工法、集成材による大断面木造等が含まれる。
【００２７】
勿論、本実施例は、鉄骨ユニット工法による戸建住宅にも適用できる。
【００２８】
先ず、この床下配管設備１の概要を述べる。図３において、例えば、木造の建屋２を建設するには敷地に根切り等を施し、ベ−スとなるフ−チング（３０）や布基礎（２４）等の基礎工事を、排水主管用スリ−ブ（２３）等の手当をしてから行う。
【００２９】
この基礎工事のコンクリ−トの養生後、床下全面に防湿コンクリ−ト３を打設する。この防湿コンクリ−ト３の打設時には、アンカ−ボルトをそのコンクリ−ト内に埋設する。
【００３０】
この防湿コンクリ−ト３の養生後、集合ます４をアンカ−止め等により取外し自在に固定・載置すると共に、１本の屋内排水主管５を布設してこの集合ます４と接続する。その後、本体工事を行い、次いで内部工事に伴って２次の屋内配管を行う。
【００３１】
すなわち、例えば、台所の内部工事を行えば、その流し台と集合ます４とを、可撓管を用いた排水枝管６で雑排水器具接続用ソケット７（水洗トイレを除く、もし水洗トイレを接続する場合は、ル−プ通気管を必要とする）によりワンタッチ式に接続する。
【００３２】
この排水枝管６の長さは、施工図面によって予め判明した長さに切管しており、したがって、接続するだけで所定の流れ勾配が得られるものである。
【００３３】
同様に、洗面台、洗濯機および浴槽等を設置する内部工事毎に、それぞれ排水枝管６を既設の集合ます４と接続する。勿論、この集合ます４はヘッダ−型継手で代替してもよい。
【００３４】
この集合ます４は、建屋２の床８下の懐空間に載置しており、その真上の床８には不図示の点検口を開閉自在に設け、集合ます４の保守点検を行うようにしている。なお、図３中、９は根太を示す。
【００３５】
以上のような戸建住宅用等の屋内排水用の集合一括排水設備たる床下配管設備１の工法であるから、施工精度が向上し、コンクリ−ト工事業者等の多能工でも充分に配管することができ、施工のタイムラグを防ぎながら、施工に伴う人件費（配管施工費の約７割を占めるもの）を節減することができ、しかも、屋外の排水ます（１０５）の数も最小限に節減することができる。
【００３６】
次に、この集合ます４の概要を述べる。この集合ます４は、平面視で円形（勿論４方形でも可）のいわゆる合成樹脂（塩ビ射出成形）製合流段差付ますで構成し、略放射状ないし、屋内排水主管５の管軸に対し平行および直交に多数の排水枝管６が接続できるようにしている。
【００３７】
すなわち、このます本体１０には横向きに、１つの比較的大口径（例えば１００ｍｍφ）の屋内排水主管用接続口（具体的にはゴム輪受口であるが、流出口とも表現する）１１と、複数（４個）の比較的小口径（例えば６０ｍｍφ）の排水枝管用接続口（具体的にはワンタッチ式接続口であるが、流入口とも表現する）１２，１２…とを各一体突設し、これらの屋内排水主管用接続口１１と排水枝管用接続口１２との間に段差（例えば５５ｍｍ）を設けたインバ−ト部を形成している。
【００３８】
また、この寸胴状になったます本体１０には、上向きに大口径（例えば２００ｍｍφ）の蓋用嵌合口を形成し、この蓋用嵌合口には仕切体付の蓋１５が着脱自在に、リップ状パッキンを介して完全密閉して、下水臭を屋内に漏らさないようにしている。
【００３９】
そして、前記のように複数の排水枝管用接続口１２を設けて、屋内の各種の雑排水器具（水洗トイレを除く）からの排水が流入しても、この仕切体と、比較的大きくとった段差とによって、他の排水枝管６へ逆流しないようにしている。
【００４０】
ここにおいて、前記屋内排水主管５は、防湿コンクリ−ト３で固定された支持金具２０により支持されて防湿コンクリ−ト３上で配管し、後記詳述の段差接合構造１３を介して、また、防湿コンクリ−ト３や布基礎２４を貫通して屋外の落差調整ます１６に接続するようにしている。
【００４１】
すなわち、図１に示す本発明の第１の実施例の段差接合構造１３は、防湿コンクリ−ト３に形成した下り傾斜溝３Ａにおいて、集合ます４に接続した屋内排水主管５に第１の４５度エルボ１７を、この第１の４５度エルボ１７に４５度傾斜管１８を、この４５度傾斜管１８に第２の４５度エルボ１９を、この第２の４５度エルボ１９に建屋２の布基礎２４を貫通した水平管２１を、それぞれ接続した構成にしている。
【００４２】
そして、この水平管２１を段差を設けることなく屋外の敷地内に埋設した、排水ます（１０５）に代る塩ビ製落差調整ます１６の点検筒２２に接続しており、この落差調整ます１６は、敷地内に埋設している、土被り約２００ｍｍの屋外排水主管１０６に接続している。
【００４３】
すなわち、集合ます４の下流側管たる水平管２１の管径より大径の点検筒２２に接続して滝落し現象を発揮させている。
【００４４】
したがって、建屋２を構築するときの布基礎２４には、予めスリ−ブ２３の手当をし、しかも、防湿コンクリ−ト３は、地面ＧＬに対し所定の寸法高さ（ｈ）で打設されているので、水平管２１の上下方向配管位置は既定されている。
【００４５】
一方、屋外排水主管１０６も公共ますの略決められた埋設深さ、および、配管勾配に規制されて配管されるので、前記水平管２１との落差（特に、狭小の敷地では大になる）を、点検筒２２に開口する流入口の位置で吸収するようにしている。
【００４６】
その結果、この水平管２１を点検筒２２へ、段差を設けることなく水平状ストレ−ト配管で負圧を発生させることなく、直接接続することになり、建屋２から排水ますたる落差調整ます１６の距離Ｓを、図４で示す第３、第４の各４５度エルボ（１１１）（１１２）や第２の水平管（１１３）を省略するだけ、短縮化し、狭小の敷地でも適用できるばかりか、これらの省略した部材による部品点数の節減や工費を安くすることができる。
【００４７】
しかも、この落差調整ます１６によって屋外排水主管１０６の埋設深さは、条例等で決められた深さに正確に合せることができ、ひいては、施工精度や施工容易性を向上させ、施工の信頼性を得ることができる。
【００４８】
殊に、この落差調整ます１６の若干大口径の点検筒２２は、図５で示す９０度大曲りＹ継手（１０１）と違い、屋内排水主管５の径を例えば１００ｍｍφとすると、点検筒２２の口径はそれにより大の１５０ｍｍφに形成しており、ひいては、排水の滝落し現象を発生させ、その結果、この点検筒２２が空気アキュムレ−タの機能を発揮して緩やかな段差接合構造１３における更なる負圧防止にもなる。したがって、この落差調整ます１６は、滝落し型ますということができる。
【００４９】
そして、この滝落し型ますに、水洗トイレの排水枝管６を段差を設けることなく直接接続させて、屋外排水主管１０６を１本化する場合には、前記水平管２１と点検筒２２との接続位置より、該点検筒２で下方に接続して、尚滝落し現象を発揮できるようにするとよい。
【００５０】
その結果、トイレ汚水が水平管２１へ逆流することなく、しかも、屋外排水主管１０６へ水洗トイレの排水枝管６を接続すれば、そこに排水ますを必要とするが、これを省略することができる。
【００５１】
次に、この落差調整ます１６を詳細に述べると、これは本出願人が案出して提案したもの（特許第２９３０９２４号、実用新案登録第２５９０１３８号、実用新案登録第２６００３１４号参照）であるが、１本の長尺の若干大口径の点検筒２２を用い、その下部にインバ−トおよび横向きの流出口を形成して工場出荷し、点検筒２２の軸方向いずれの位置にも、施工現場に応じ、流入口を開口し、そこに９０度支管２５を取付ける滝落し型ます（小口径マンホ−ル）である。なお、この９０度支管２５の取付けは接着接合やナット挟持接合で行う。
【００５２】
また、この点検筒２２には地面ＧＬと略面一になった密閉蓋２６をかぶせて、下水臭の漏れや浸入水を防いでいる。そのため、要するに、図３で述べた集合ます４と、この滝落し型ますとは、一括集中排水を行う上で部品点数節減やコンパクト性に相乗してきわめて良好にマッチさせることができる。
【００５３】
次に、本発明の参考例の段差接合構造１３Ａについて述べる。
【００５４】
図２において、この段差接合構造１３Ａは、前記第１の実施例と違い、落差調整ます１６を床下の防湿コンクリ−ト３に形成したピット２７に内設し、従前（図４および図５）の排水ます１０５をそのまま残して利用し、したがって、落差調整ます１６は排水ます１０５に第２の水平管１１３で接続している。
【００５５】
したがって、この第２の実施例によると、第１の実施例の第１の４５度エルボ１７、第２の４５度エルボ１９および４５度傾斜管１８は省略できるものの、床下の防湿コンクリ−ト３の地面ＧＬからの高さｈが決められ、かつ、布基礎２４に予めセットしたスリ−ブ２３の深さが既定されていることから、落差調整機能は殆どない代りに、滝落し機能による負圧発生を完全に防止することができるものである。
【００５６】
なお、図２中、２８は柱、２９は土台、３０はフ−チング、３１は大引を示す。
【００５７】
また、図１および図２で示した落差調整ます１６は、いずれも点検筒２２の下部に横向きの流出口を一体形成したものであるが、この建屋２が傾斜地にある場合、点検筒２２の下部の一般のインバ−トを省略して、下向きの流出口を一体形成した、いわゆるドロップます（例えば、特開平５−２５８５１号公報参照）を用いてもよい。
【００５８】
ここで、このドロップます３２について述べる。
【００５９】
一般にドロップますとは、コンクリ−ト製ますの場合、副管付のものを略称しているが、本発明に係る合成樹脂製ますでは、底部有孔ますと類似のもので、前記のような点検筒２２の下部に一般のインバ−トを省略して下向きの流出口を一体的に形成したものであって、前掲の公開公報記載のものや特公平８−２６５７５号公報記載のものを指しており、特に本出願人が案出して提案したもの（特許第２７４７６８４号公報）を図６に基づいて述べる。
【００６０】
すなわち、このドロップます３２は、１本の既製の塩ビ管からなる点検筒２２の下部に、アンダ−フロ−部を形成した漏斗体３３を付設し、このアンダ−フロ−部に不図示の自在継手付の９０度大曲りエルボ（自在曲管）３４を接続したもので、この９０度大曲りエルボ３４に前記屋外排水主管１０６を接続している。
【００６１】
なお、このドロップます３２はコンクリ−ト製台座３５に載置して設置する。
【００６２】
以上要するに、これらの排水ます（１６）、（３２）は、滝落し機能によって空気アキュムレ−タの機能を発揮させればよい。また、集合ます４は図５で示すヘッダ−型継手１０７に代えてもよい。
【００６３】
【発明の効果】
本発明によると、一括集中床下配管に必然的に発生する段差接合構造に、滝落し機能を発揮する滝落し型ますを用いたので、その接続部材を省略して、特に、排水ますの一般のインバ−トに接続するための下り階段配管を省略して、水平状ストレ−ト配管にし、部品点数を節減して、コンパクト化し、ひいては、狭小地でも適用可能としながら、空気アキュムレ−タの機能を発揮して雑排水器具の器具トラップの破封を防止することができる。
【００６４】
請求項２の発明によると、特に、公共ますより相当上方にある排水ますに対しても（地形が傾斜地であっても）水平状屋内排水主管を所定の勾配の水平状ストレ−ト配管することができる。
【００６５】
請求項３の発明によると、特に、屋外排水主管１０６を１本化すると共に、排水ますを節減することができる。
【００６６】
請求項４の発明によると、特に、滝落し機能をより発揮させるドロップますにすることができる。
【図面の簡単な説明】
【図１】  本発明の第１の実施例の模式図である。
【図２】  参考例の模式図である。
【図３】  本実施例の要部図である。
【図４】  従来の提案例である。
【図５】  従来例である。
【図６】  他の従来例である。
【符号の説明】
１…床下配管設備、２…建屋、３…防湿コンクリ−ト、４…集合ます、５…屋  内排水主管、１６…落差調整ます、２２…点検筒、１０７…ヘッダ−型継手
【図１】
0004210064.tif 000002
【図２】
0004210064.tif 000003
【図３】
0004210064.tif 000004
【図４】
0004210064.tif 000005
【図５】
0004210064.tif 000006
【図６】
0004210064.tif 000007